(57)【要約】【課題】  吸蔵体無しで毛染め液を保持して頭髪などに付着させる毛染め具を提供する。【解決手段】  本発明の毛染め具１は、塗布液誘導路２５が形成されている櫛状部材１０と、塗布液が収納される塗布液収納部材とを有している。そして、櫛状部材１０には複数の櫛歯１０ｂが設けられ、隣り合う櫛歯の間に空間２３が形成されるように所定の方向に配列している。また、櫛歯１０ｂには、長さ方向に沿って形成される塗布液流通部２５が設けられており、塗布液流通部２５は、空間２３側が開放する溝であり、櫛状部材１０ｂは複数の部材を合わせて形成されるものであって、櫛状部材１０ｂの合わせ目部分に、塗布液流通部２５が配置されている。【選択図】図６
2009056227.tif 000002
【特許請求の範囲】
【請求項１】
塗布液誘導路が形成されている櫛状部材と、塗布液が収納される塗布液収納部材とを有し、櫛状部材には複数の櫛歯が設けられ、隣り合う櫛歯の間に空間が形成されるように所定の方向に配列しており、
櫛歯には、長さ方向に沿って形成される塗布液流通部が設けられており、塗布液流通部は、櫛歯同士の間の空間側が開放する溝又は隙間であり、塗布液は塗布液収納部材から塗布液誘導路を通じて塗布液流通部に流れるものであり、
櫛状部材は、複数の部材を合わせて形成されるものであり、櫛状部材の合わせ目部分に、塗布液流通部が配置されていることを特徴とする毛染め具。
【請求項２】
塗布液収納部材の塗布液を、櫛状部材の塗布液誘導路に供給することができる供給手段を有することを特徴とする請求項１に記載の毛染め具。
【請求項３】
櫛歯の先端には、塗布液流通部が形成されていないことを特徴とする１又は２に記載の毛染め具。
【請求項４】
櫛状部材の長さ方向と塗布液収納部材の長さ方向の間には角度があり、櫛状部材が傾斜するように取り付けられていることを特徴とする１〜３のいずれかに記載の毛染め具。
【発明の詳細な説明】
【技術分野】
【０００１】
本発明は、毛染め具に関するものである。
【背景技術】
【０００２】
従来より、毛染め液を頭髪などに付着させるため、毛染め液が入れられる容器と、櫛状の部材が一体となっており、容器に入った毛染め液を、櫛状の部材側へ供給できる毛染め具がある。
そして、このような毛染め具は特許文献１などに開示されている。
【０００３】
特許文献１には、貫通孔を形成したパイプ部材の周りに吸蔵体を設けたものを櫛体の基部とした毛染め具が記載されており、また、別の実施例には、櫛部の内側に空間を形成して、この空間に吸蔵体を配置したものが記載されている。そして、この吸蔵体に含浸した毛染め液を頭髪に付着させるものである。
【特許文献１】特開平１１−３３２６３５号公報
【発明の開示】
【発明が解決しようとする課題】
【０００４】
特許文献１に示される毛染め具の櫛部分は、複雑な構造をしているので、部品の製造や組み立てが難しく、製造しにくいものであった。また、吸蔵体無しで毛染め液を保持して頭髪などに付着させることができれば、部品の数を少なくすることができ、さらに製造が容易に行うことができる。
【０００５】
そこで、本発明は、上記のような問題を解決することができる毛染め具を提供することを課題とするものである。
【課題を解決するための手段】
【０００６】
上記した目的を達成するための請求項１に記載の発明は、塗布液誘導路が形成されている櫛状部材と、塗布液が収納される塗布液収納部材とを有し、櫛状部材には複数の櫛歯が設けられ、隣り合う櫛歯の間に空間が形成されるように所定の方向に配列しており、櫛歯には、長さ方向に沿って形成される塗布液流通部が設けられており、塗布液流通部は、櫛歯同士の間の空間側が開放する溝又は隙間であり、塗布液は塗布液収納部材から塗布液誘導路を通じて塗布液流通部に流れるものであり、櫛状部材は、複数の部材を合わせて形成されるものであり、櫛状部材の合わせ目部分に、塗布液流通部が配置されていることを特徴とする毛染め具である。
【０００７】
請求項１に記載の発明によれば、櫛歯には、長さ方向に沿って形成される塗布液流通部が設けられており、塗布液流通部は、櫛歯同士の間の空間側が開放する溝又は隙間であり、塗布液は塗布液収納部材から塗布液誘導路を通じて塗布液流通部に流れるものであり、櫛状部材は、複数の部材を合わせて形成されるものであり、櫛状部材の合わせ目部分に、塗布液流通部が配置されているので、塗布液を塗布液流通部に保持し、櫛歯の間の空間に頭髪などが通過することにより塗布を行うことができる。
【０００８】
請求項２に記載の発明は、塗布液収納部材の塗布液を、櫛状部材の塗布液誘導路に供給することができる供給手段を有することを特徴とする請求項１に記載の毛染め具である。
【０００９】
請求項２に記載の発明によれば、塗布液収納部材の塗布液を、櫛状部材の塗布液誘導路に供給することができる供給手段を有するので、頭髪などに塗布液を付着させやすくすることができる。
【００１０】
請求項３に記載の発明は、櫛歯の先端には、塗布液流通部が形成されていないことを特徴とする１又は２に記載の毛染め具である。
【００１１】
請求項３に記載の発明によれば、櫛歯の先端には、塗布液流通部が形成されていないので、櫛歯の先端に塗布液が保持されず、使用の際に、櫛歯の先端が頭皮に接触しても塗布液が付着しにくく、頭皮を汚れにくくすることができる。
【００１２】
請求項４に記載の発明は、櫛状部材の長さ方向と塗布液収納部材の長さ方向の間には角度があり、櫛状部材が傾斜するように取り付けられていることを特徴とする１〜３のいずれかに記載の毛染め具である。
【００１３】
請求項４に記載の発明によれば、櫛状部材の長さ方向と塗布液収納部材の長さ方向の間には角度があり、櫛状部材が傾斜するように取り付けられているので、櫛歯に角度が付いて、毛染めの作業を行いやすくすることができる。
【発明の効果】
【００１４】
本発明の毛染め具は、製造しやすく、また、毛染め作業を行いやすい。
【発明を実施するための最良の形態】
【００１５】
本発明の第１の実施形態における毛染め具１は、図１〜図３に示されるように、櫛状部材１０と、塗布液が収納される塗布液収納部材１１とを有している。
そして、後述するように、本実施形態では塗布液には毛染め液が用いられており、櫛状部材１０側に供給された塗布液を、頭髪などに付着させて毛染めを行うことができる。
【００１６】
櫛状部材１０は、図４、図５に示されるように、板状の板部１０ａと複数の櫛歯１０ｂとを有している。そして、櫛状部材１０の全体の形状は、通常の櫛と同様の形状であり、外形は細長く長方形の板状である。
櫛歯１０ｂは、複数有しているものであって、所定の方向に配列しており、さらに、図４に示されるように、櫛歯１０ｂ同士の間には空間２３が形成されている。そして、後述するように、毛染め具１を使用する際には、毛髪が空間２３を通過し、塗布液流通部２６に保持されている塗布液が毛髪に付着する。
【００１７】
また、図４、図５に示されるように、櫛状部材１０には、合わせ部材２１、２２を有しており、これら２枚の合わせ部材２１、２２を合わせて櫛状部材１０が形成される。そして、合わせ部材２１、２２の合わせ面２１ａ、２２ａに、所定の形状の凹部や段部などが設けられており、塗布液誘導路２５と塗布液流通部２６が形成される。
【００１８】
図５に示されるように、塗布液誘導路２５は、板部１０ａの内部に形成されるものであり、１ヵ所の進入口２５ａと、複数の排出口２５ｂを持つ流路である。そして、塗布液誘導路２５には、分岐部３０が設けられており、進入口２５ａから入った塗布液が、分岐部３０で分岐して、それぞれの排出口２５ｂから排出される。
【００１９】
本実施形態の塗布液誘導路２５の分岐部３０には、第１の分岐部３０ａ、第２の分岐部３０ｂ、第３の分岐部３０ｃ、第４の分岐部３０ｄを有している。そして、進入口２５ａからの流路は、第１の分岐部３０ａで２方向に分かれ、この分かれた流路が第２の分岐部３０ｂでそれぞれ２方向に分かれ、第３の分岐部３０ｃでそれぞれ２方向に分かれて、さらに、第４の分岐部３０ｄでそれぞれ２方向に分かれて、１６ヵ所の排出口２５ｂに至る流路となっている。
【００２０】
また、塗布液流通部２６は、図６に示されるように、櫛歯１０ｂの長さ方向に沿って形成される溝である。そして、各櫛歯１０ｂには、２ヵ所の塗布液流通部２６が形成されており、塗布液流通部２６の開放部分は、櫛歯同士の間の空間２３側に配置されている。また、これを言い換えると、各空間２３の櫛歯１０ｂ側の両側に、塗布液流通部２６が配置されている構造となっている。
【００２１】
そして、隣り合う櫛歯１０ｂの塗布液流通部２６が、櫛歯１０ｂの根元付近でつながっている。そして、この櫛歯１０ｂの根元付近に、塗布液誘導路２５の排出口２５ｂが配置されている。
したがって、塗布液誘導路２５の排出口２５ｂから排出された塗布液は、両側の塗布液流通部２６へと流れるようになっている。
なお、図５に示されるように、配列された複数の櫛歯１０ｂの、両端の櫛歯１０ｂのさらに外側にも、空間２３が形成されており、この空間２３の外側の板部１０ａの部分にも、塗布液流通部２６が形成されている。
【００２２】
そして、塗布液誘導路２５や塗布液流通部２６は、２枚の合わせ部材２１、２２を合わせ目部分に形成されている。そのため、合わせ部材２１、２２の合わせ面２１ａ、２２ａに所定の凹凸や段部を形成することなどにより、塗布液誘導路２５や塗布液流通部２６を形成することができ、合わせ部材２１、２２の成形を容易に行うことができる。
【００２３】
また、合わせ部材２１及び合わせ部材２２は、互いに対称形の部材であり、樹脂成形品が用いられている。合わせ部材２１、２２に用いられる材質は、特に限定されるものではないが、ポリプロピレン樹脂、ポリアセタール樹脂、ポリアミド樹脂、ポリカーボネート樹脂、ポリスチレン樹脂、アクリル樹脂等の樹脂を用いることができる。また、樹脂以外の材質のもの、例えば、アルミやステンレスなどの金属材料、木材、ガラスやセラミックなどの無機材料などもを使用することができる。そして、合わせ部材２１、２２の材質を選定する場合、塗布液との相性がよく、成形性が良いものが望ましい。
【００２４】
櫛状部材１０は、合わせ部材２１、２２同士を合わせた状態で維持することが必要であるが、この方法は、通常の方法を用いることができる。例えば、接着剤によって接着することもでき、また、溶着などによって行うことができる。
【００２５】
塗布液収納部材１１は、図３に示されるように、本体部３２、容器部３３及び供給手段３５を有している。そして、本体部３２は円筒状であって、内部に容器部３３が配置されている。また、容器部３３に塗布液が入れられるものであり、容器部３３に接続する管部３８から、塗布液を櫛状部材１０へ供給することできる。
【００２６】
そして、本実施形態では、この塗布液の供給は、供給手段３５を操作することにより、容易に行うことができる。具体的には、供給手段３５には、ボタン部３６が設けられ、ボタン部３６を押すと、容器部３３の後側に配置されているピストン部３７が前進して、容器部３３の内部の空間が小さくなり、塗布液が管部３８を通過して、塗布液誘導路２５の進入口２５ａに移動する。
また、このピストン部３７は、一旦前進すると戻らないような構造になっている。そのため、ボタン部３６を押すことを止めても、ピストン部３７がそのままの位置であり、再度、ボタン部３６を押すと、さらにピストン部３７が前進し、ボタン部３６を押す度に、塗布液を供給することができる。
【００２７】
櫛状部材１０と、塗布液収納部材１１とは固定されているが、櫛状部材１０の長さ方向と、塗布液収納部材１１の長さ方向とが、一致する状態で固定されている。そして、これらの位置関係は、櫛歯１０ｂの長さ方向が、塗布液収納部材１１の長さ方向に対してほぼ直角となっている。
【００２８】
塗布液は、毛染め用の毛染め液が用いられるが、この配合は、特に限定されるものではなく、用途などに応じて、適当な配合のものを用いることができる。  
【００２９】
毛染め具１を使用する場合、供給手段３５のボタン部３６を押し、容器部３３内の塗布液を、管部３８を通過させ、塗布液誘導路２５から塗布液流通部２６に移動させる。なお、このボタン部３６を押す操作は、必要に応じ、数回繰り返される。
【００３０】
塗布液流通部２６は溝状であるので、塗布液流通部２６に移動した塗布液を保持することができる。そして、塗布液流通部２６に塗布液が存在する状態で、頭髪を、櫛歯１０ｂの間の空間２３で通過させるように毛染め具１を移動させて、頭髪に塗布液を付着させて毛染めが行われる。
【００３１】
本実施形態の塗布液流通部２６は、櫛歯１０ｂ同士の間の空間２３側が開放する形状であるので、多くの量の塗布液を保持しながら、空間２３を通過する頭髪に、多くの塗布液を付着させることができる。
【００３２】
次に、本発明の第２の実施形態における毛染め具２について説明する。
毛染め具２は、図７〜図９に示されるように、櫛状部材４０と、塗布液が収納される塗布液収納部材１１とを有している。そして、毛染め具２では、上記した第１の実施形態における毛染め具１と比較して、櫛状部材４０が異なるものであり、塗布液収納部材１１は同じものが用いられている。
【００３３】
図１０に示されるように、櫛状部材４０についても、板状の板部１０ａと複数の櫛歯１０ｂとを有し、全体の形状は、通常の櫛と同様の形状であり、１ヵ所の進入口２５ａと、複数の排出口２５ｂを持つ塗布液誘導路２５と、櫛歯１０ｂに形成される溝である塗布液流通部２６が形成されている。
【００３４】
櫛状部材４０は、第１の実施形態における毛染め具１の櫛状部材１０と違って、欠け部２８があり、櫛状部材１０の取り付けの状態が異なっている。
欠け部２８は、塗布液誘導路２５の進入口２５ａとは反対側で、櫛歯４０ｂとは反対側の角が欠けた部分であり、傾斜辺２８ａが形成されている。そして、櫛状部材４０の全体の外形の形状は、五角形の板状となっている。なお、櫛状部材４０は、五角形以外の形状のものを採用しても良い。
【００３５】
また、櫛状部材４０の取付状態は、櫛状部材１０の長さ方向と、塗布液収納部材１１の長さ方向とが、一致しておらず、これらの方向には角度を有している。そして、この角度は、傾斜辺２８ａの傾きに合わせられており、傾斜辺２８ａの方向と、塗布液収納部材１１の長さ方向とがほぼ一致している。
【００３６】
毛染め具２を使用する場合、塗布液収納部材１１を持って行うものであるが、毛染め具２の先端側に向くように、櫛歯４０ｂに角度が付いているので、毛染めの作業を行いやすくすることができる。
【００３７】
次に、本発明の第３の実施形態における毛染め具３について説明する。
図１１には、毛染め具３に用いられる合わせ部材２１が示されており、対称形の合わせ部材（図示せず）とを合わせることにより、櫛状部材５０が形成される。そして、上記した櫛状部材１０、４０とは異なり、本実施形態の櫛状部材５０の櫛歯５０ｂの先端５５には、塗布液流通部２６が形成されていない。
毛染め具３を用いる場合には、櫛歯５０ｂの先端が頭皮に接触することがある。櫛歯５０ｂの先端５５に塗布液流通部２６があると、使用の際に、櫛歯５０ｂの先端５５に保持された塗布液が頭皮に接触して頭皮を汚すことがあるが、本実施形態の毛染め具３の櫛歯５０ｂの先端５５には、塗布液流通部２６が形成されていないので、このようなことがない。
【００３８】
なお、毛染め具３は、櫛状部材５０の櫛歯５０ｂの先端部分以外の構造は、第２の実施形態における毛染め具２と同様の構造である。
【００３９】
また、毛染め具３では、塗布液流通部２６が設けられていない部分は、櫛歯５０ｂの先端５５付近だけであったが、さらに塗布液流通部２６を短くし、塗布液流通部２６が設けられていない部分を、より長くすることもできる。そして、塗布液流通部２６を、櫛歯１０ｂの根元付近のみに形成したものを採用することもできる。
【００４０】
さらに、本発明の第４の実施形態における毛染め具４について説明する。
図１２には、毛染め具４に用いられる合わせ部材２１が示されており、対称形の合わせ部材（図示せず）とを合わせることにより、櫛状部材６０が形成される。そして、本実施形態の櫛状部材６０の塗布液誘導路２５の形状は、上記した櫛状部材１０、４０、５０とは異なるものである。
【００４１】
櫛状部材６０の塗布液誘導路２５の形状は、上記した櫛状部材１０、４０、５０と同様に、進入口２５ａと複数の排出口２５ｂを持つ流路であるが、分岐部３０は櫛歯６０ｂ間に対応して複数形成されている。そして、進入口２５ａから塗布液誘導路２５に入った塗布液は、手前側から分岐して、それぞれの排出口２５ｂに流れる。
【００４２】
なお、図示していないが、毛染め具２、３、４の櫛状部材４０、５０、６０についても、毛染め具１と同様に、対称形の２枚の合わせ部材２１、２２を合わせて形成されるものであり、合わせ面２１ａ、２２ａ同士が合わされて塗布液誘導路２５や塗布液流通部２６が形成され、塗布液誘導路２５や塗布液流通部２６は合わせ目部分に配置しているものである。
【００４３】
上記した毛染め具１、２、３、４の塗布液誘導路２５は、櫛歯１０ｂ、４０ｂ、５０ｂ、６０ｂの両側に設けられた溝であるが、この溝の幅や深さは、使用される条件や、塗布液などの性状によって、変えることができる。また、図１３に示されるように、櫛歯１０ｂ、４０ｂ、５０ｂ、６０ｂを貫通するような、隙間である塗布液誘導路５７とすることができる。
【００４４】
また、上記した毛染め具１、２、３、４の櫛状部材１０、４０、５０、６０は、互いに対称形の合わせ部材２１、２２を用いたものであったが、対称形でないものを用いることができる。そして、対称形でないものを採用する場合、例えば、合わせ部材２１、２２の合わせ面２１ａ、２２ａのいずれか一方のみを段状とし、他方を平面状とした櫛状部材１０、４０、５０、６０を用いることもできる。
【図面の簡単な説明】
【００４５】
【図１】本発明の第１の実施形態における毛染め具の斜視図である。
【図２】図１の毛染め具の正面図である。
【図３】図１の毛染め具のＡ−Ａ断面図である。
【図４】図１の毛染め具に用いられる櫛状部材を示した斜視図である。
【図５】図４の櫛状部材の分解斜視図である。
【図６】図４の櫛状部材の一部破断斜視図である。
【図７】本発明の第２の実施形態における毛染め具の斜視図である。
【図８】図７の毛染め具の正面図である。
【図９】図７の毛染め具のＡ−Ａ断面図である。
【図１０】図７の毛染め具に用いられる櫛状部材の合わせ部材を示した正面図である。
【図１１】本発明の第３の実施形態における毛染め具に用いられる櫛状部材の合わせ部材を示した正面図である。
【図１２】本発明の第４の実施形態における毛染め具に用いられる櫛状部材の合わせ部材を示した正面図である。
【図１３】塗布液流通部の変形例を示した断面図である。
【符号の説明】
【００４６】
１、２、３、４  毛染め具
１０、４０、５０、６０  櫛状部材
１０ｂ、４０ｂ、５０ｂ、６０ｂ  櫛歯
１１  塗布液収納部材
２１、２２  合わせ部材
２３  空間
２５、５７  塗布液誘導路
２６  塗布液流通部
【図１】
2009056227.tif 000003
【図２】
2009056227.tif 000004
【図３】
2009056227.tif 000005
【図４】
2009056227.tif 000006
【図５】
2009056227.tif 000007
【図６】
2009056227.tif 000008
【図７】
2009056227.tif 000009
【図８】
2009056227.tif 000010
【図９】
2009056227.tif 000011
【図１０】
2009056227.tif 000012
【図１１】
2009056227.tif 000013
【図１２】
2009056227.tif 000014
【図１３】
2009056227.tif 000015